(57)【要約】      （修正有）【課題】持ち運びしやすく、使いやすいバッグを提供する。【解決手段】バッグ１は、折り曲げ、折り畳み可能で、かつ、物品を収納可能な袋本体部２と、袋本体部の底面２ａに設けられて板状に延ばされた展開状態と巻回された巻回状態とに変更可能な巻回板３とを備える。袋本体部に設けられて板状に延ばされた展開状態と巻回された巻回状態とに変更可能な巻回板を備えているため、バッグを折り畳んで巻回状態にして持ち運ぶことができる。【選択図】図７
0003227566.tif 000002
【実用新案登録請求の範囲】
【請求項１】
物品を収納可能な袋本体部と、
前記袋本体部に設けられて板状に延ばされた展開状態と巻回された巻回状態とに変更可能な巻回板と
を備えるバッグ。
【請求項２】
前記巻回板は、前記袋本体部の底面に設けられている請求項１記載のバッグ。
【請求項３】
前記巻回板は、前記展開状態にあるときに、前記袋本体部の外方に突出するように湾曲している請求項１又は請求項２記載のバッグ。
【請求項４】
前記巻回板は、前記展開状態にあるときに外力が加えられることによって自動的に前記巻回状態になり、前記巻回状態にあるときに外力が加えられることによって前記展開状態になるように構成されている請求項１から請求項３のいずれか１項記載のバッグ。
【請求項５】
前記袋本体部の上端部の幅寸法が、前記袋本体部の下端部の幅寸法よりも小さくなるように構成されている請求項１から請求項４のいずれか１項記載のバッグ。
【請求項６】
前記袋本体部の幅寸法が、前記袋本体部の上方部分において前記袋本体部の上端部に向かって漸次小さくなるように構成されている請求項１から請求項５のいずれか１項記載のバッグ。
【請求項７】
前記巻回板が前記袋本体部に対して着脱可能であるように構成されている請求項１から請求項６のいずれか１項記載のバッグ。
【請求項８】
前記巻回板の先端部は、Ｒ形状に形成されている請求項１から請求項７のいずれか１項記載のバッグ。
【考案の詳細な説明】
【技術分野】
【０００１】
本考案は、バッグに関する。
【背景技術】
【０００２】
従来、購入した商品を持ち帰るために配布されるレジ袋が知られている（例えば、特許文献１）。このようなレジ袋は、多くの場合、プラスチック製であり、使い捨てを前提としている。また、レジ袋は、コンビニエンスストアやスーパーマーケット等において、例えば、商品の精算時に配布されている。このような使い捨てのレジ袋については、環境負荷等の観点から過剰な使用を抑制したいという要請がある。
これに対して、買い物客等、利用者自身が袋状の買い物用バッグを予め用意して、その買い物用バッグを持参して買い物に行くことが考えられる。
【先行技術文献】
【特許文献】
【０００３】
【特許文献１】特開２０１２−１０５７６３号公報
【考案の概要】
【考案が解決しようとする課題】
【０００４】
しかしながら、このようなバッグは、購入した商品を入れるためにある程度の大きさが必要であるため、他にも荷物がある場合や身軽に出かけたい場合などにおいて、持参しにくいという問題がある。また、このようなバッグを畳んで持ち運ぶ場合、買い物のたびに広げたり畳んだりするのに手間がかかってしまい、取扱いが不便であるという問題もある。
これらに鑑みて、本考案は、持ち運びしやすく、使いやすいバッグを提供することを目的とする。
【課題を解決するための手段】
【０００５】
上記課題を解決するために、本考案は以下の手段を提供する。
本願に記載するバッグは、物品を収納可能な袋本体部と、前記袋本体部に設けられて板状に延ばされた展開状態と巻回された巻回状態とに変更可能な巻回板とを備える。
【考案の効果】
【０００６】
本考案によれば、持ち運びしやすく、使いやすいバッグを提供することができる。
【図面の簡単な説明】
【０００７】
【図１】本実施形態に係るバッグの斜視図である。
【図２】本実施形態に係るバッグの正面図である。
【図３】図１のＡ−Ａ線部分拡大端面図である。
【図４】（ａ）本実施形態に係る巻回板の展開状態における平面図である。（ｂ）図４（ａ）のＢ−Ｂ線拡大断面図である。
【図５】（ａ）本実施形態に係る巻回板の巻回状態における斜視図である。（ｂ）図５（ａ）のＣ−Ｃ線拡大端面図である。
【図６】本実施形態に係るバッグにおいて巻回板を袋本体部に取り付ける際の説明図である。
【図７】本実施形態に係るバッグの使用状態図である。
【図８】本実施形態に係るバッグの使用状態図である。
【図９】本実施形態に係るバッグの使用状態図である。
【考案を実施するための形態】
【０００８】
以下、本考案の実施形態におけるバッグについて説明する。なお、「上」、「下」、「右」、「左」、「裏」、「内」、「外」、「横」等の方向を示す語は、図面の状態に基づく便宜上のものであり、実際の方向はこれに限定されるものではない。
図１は、バッグ１の斜視図であり、図２はバッグ１の正面図である。なお、バッグ１の背面形状は図２の正面図に示す形状と同様である。バッグ１は、買い物の際に持参して、購入した商品の持ち帰りに使用できるものである。
後述のように、バッグ１は、折り畳むことができる。図１及び図２は、広げた状態のバッグ１を示すものである。
【０００９】
バッグ１は、袋本体部２と、巻回板３とを備えている。袋本体部２は、物品を収納可能な収納部４を有している。収納部４は、バッグ１を広げたときに収納空間５を形成することができる袋本体部２の底面２ａ、正面２ｂ、背面２ｃ及び左右側面２ｄとから構成されている。袋本体部２の上側は開放されていて、収納空間５に購入した商品等を入れることができる。このように袋本体部２は、物品を収納可能に構成されている。
本実施形態において、袋本体部２はポリエステル生地で形成されている。袋本体部２は折り曲げ可能であり、折り畳むことができる。一例として、袋本体部２の底面２ａの横幅方向Ｘの寸法は、３００ｍｍであり、底面２ａの奥行方向Ｙの寸法は、６０ｍｍである。
図２に示すように、袋本体部２の上端部２ｅの幅寸法Ｗ１は、下端部２ｆの幅寸法Ｗ２よりも小さくなるように構成されている。また、袋本体部２の幅寸法が、袋本体部２の上方部分２ｇにおいて上端部２ｅに向かって漸次小さくなるように構成されている。
【００１０】
袋本体部２は、袋本体部２の上方部分２ｇにおいて、持ち手部６を備えている。持ち手部６は、袋本体部２に形成された貫通孔６ａを備えている。貫通孔６ａは正面側上方と背面側上方において、それぞれ１個ずつ形成されており、これらの貫通孔６ａは対向する位置に配置されている。なお、図１において背面側の貫通孔６ａは仮想線での図示を省略している。
利用者は、持ち手部６の貫通孔６ａに指を入れて、バッグ１を把持することができる。
貫通孔６ａの周縁部には、袋本体部２と同一素材からなる長尺状の補強部材７が当該周縁部を包むように縫い付けられている。また、袋本体部２の上方部分２ｇの縁部にも、袋本体部２と同一素材からなる長尺状の補強部材７が当該縁部を包むように縫い付けられている。
【００１１】
図３は、図１のＡ−Ａ線部分拡大端面図である。巻回板３は、袋本体部２の底面２ａに設けられている。図３に示すように、袋本体部２は、巻回板３を保持する巻回板保持部８を備えている。巻回板保持部８は、袋本体部２の下端部２ｆに設けられている。巻回板保持部８は、収容空間８ａを画定する覆い部９と底面２ａを備えている。覆い部９は、袋本体部２の内側において底面２ａに沿って設けられている。覆い部９は、長尺状の部材であり、奥行方向Ｙ及び横幅方向Ｘにおいて底面２ａの各幅寸法と略同一の幅寸法を有している。横幅方向Ｘに延びる覆い部９の両縁部９ａは、底面２ａに縫い付けられて、底面２ａに固定されている。
なお、覆い部９の横幅方向Ｘの両端部については、図６を参照して後述する。
【００１２】
巻回板３は、板状に延ばされた展開状態と巻回された巻回状態とに変更可能に構成されている。また、本実施形態においては、巻回板３は、展開状態にあるときに外力が加えられることによって自動的に巻回状態になり、巻回状態にあるときに外力が加えられることによって展開状態になるように構成されている。
バッグ１を広げた状態において、収容空間８ａに収容された巻回板３は、板状に延ばされた展開状態にある。図３に示すように、巻回板３の奥行方向Ｙの中央部３ａが下方に突出して凸部１０が形成されている。すなわち、巻回板３は、展開状態にあるときに、袋本体部２の外方に突出するように湾曲している。
【００１３】
図４（ａ）は、巻回板３が展開状態にあるときの巻回板３の平面図であり、図４（ｂ）は、Ｂ−Ｂ線断面図である。
巻回板３は、薄い板状のばね鋼によって形成されて、可撓性を有している。なお、本実施形態では、錆防止等のために巻回板３全体に表面コーティングを施している。
巻回板３は、一例として、厚さ寸法が０．２ｍｍ程度に薄く形成されている。また、巻回板３の横幅方向Ｘ及び奥行方向Ｙの寸法は、底面２ａの寸法と略同一である。
【００１４】
図４（ａ）に示すように、巻回板３は長尺状に形成されている。また、図４（ｂ）に示すように、巻回板３の中央部３ａが下方に突出して凸部１０が形成され、巻回板３が湾曲している。したがって、横幅方向Ｘに延びる両縁部３ｂの高さ位置（高さ方向Ｚにおける位置）が、中央部３ａの高さ位置よりも高くなっている。なお、中央部３ａは、横幅方向Ｘの一方の先端部３ｃから他方の先端部３ｃに亘って連続して下方に突出して凸部１０を形成しており、凸部１０の突出の度合い及び巻回板３の湾曲の度合いは、一定である。
また、図４（ａ）に示すように、巻回板３の先端部３ｃは、面取りがされてＲ形状に形成されている。
【００１５】
図５（ａ）は巻回板３が巻回状態にあるときの巻回板３の斜視図であり、図５（ｂ）は、Ｃ−Ｃ線端面図である。なお、図５（ａ）において巻回板３の板厚は省略して図示している。また、巻回板３の巻回状態の説明を分かりやすくするために、図５では、袋本体部２に取り付けていない状態での巻回板３の巻回状態について図示している。
後述のように、展開状態において凸部１０を押し込むように、巻回板３に外力が加えられると、巻回板３は自然に丸まって巻回状態になる。図５（ａ）に示すように、巻回板３は、Ｙ軸方向に延びる仮想回転軸線を回転中心として巻回し、巻回状態において、一方の先端部３ｃが外面側に位置し、他方の先端部３ｃが内面側に位置することになる。
【００１６】
図５（ｂ）は、三重になった巻回板３の端面を示している。図５（ｂ）の厚さ方向Ｄに表れる形状が示すように、巻回状態において、中央部３ａは突出しておらず、凸部１０は形成されていない。中央部３ａと両縁部３ｂの厚さ方向Ｄにおける位置は、同一であり、図５（ｂ）に示す巻回板３の形状は直線状になっている。
なお、厚さ方向Ｄは、巻回板３が展開状態にあるときの高さ方向Ｚに対応している。
このように、巻回状態においては、展開状態における巻回板３の湾曲が解消されて平坦になっている。
【００１７】
バッグ１は、巻回板３が袋本体部２に対して着脱可能であるように構成されている。図６は、巻回板３を袋本体部２に取り付ける際の説明図である。図６の右側に展開状態にある巻回板３を示し、左側に裏返した袋本体部２を示している。袋本体部２は裏返した状態にあるため、覆い部９が露出し、袋本体部２の正面２ｂの裏面と側面２ｄの裏面とが表れている。なお、左側に示す袋本体部２においては、長尺状に延びる巻回板保持部８の中間部分を省略して両端部８ｂのみを図示している。前述のように、覆い部９の奥行方向Ｙ及び横幅方向Ｘの寸法は底面２ａと略同一であり、収容空間８ａには巻回板３の全体が収容されるように巻回板保持部８が構成されている。
覆い部９の横幅方向Ｘの一方の端部９ｂは、巻回板３を収容空間８ａに出し入れできるように、底面２ａに縫い付けられておらず、一方の端部９ｂと底面２ａの間に開口１１が形成されている。覆い部９の横幅方向Ｘの他方の端部９ｃは、底面２ａに縫い付けられており、他方の端部９ｃと底面２ａの間に開口１１は形成されていない。このように、巻回板保持部８は、ポケット状に形成されている。
【００１８】
また、巻回板保持部８の両端部８ｂには、巻回板３の先端部３ｃが当たる部分を補強するために、底面側補強部１２が設けられている。一方の端部９ｂ側に形成された底面側補強部１２は、袋本体部２と同一素材からなる長尺状の部材が、底面２ａに縫い付けられることによって形成されている。他方の端部９ｃ側に形成された底面側補強部１２は、袋本体部２と同一素材からなる長尺状の部材が、底面２ａと他方の端部９ｃを閉じるように、底面２ａと他方の端部９ｃに縫い付けられることによって形成されている。
なお、袋本体部２が図６に示す裏返された状態から元に戻されると、底面側補強部１２は、その先端がバッグ１の中心方向に向かって折り込まれることになる。
【００１９】
巻回板３を開口１１に平行にして、先端部３ｃを開口１１に差し込むことにより、巻回板保持部８に巻回板３が収容される。このとき、巻回板３の凸部１０が袋本体部２の外方に突出するように、巻回板３が袋本体部２に装着される。図６の例では、凸部１０が下方に突出するように湾曲した巻回板３が、開口１１を介して巻回板保持部８に挿入されることにより、袋本体部２に装着される。
巻回板３を収容空間８ａに保持した状態で、裏返しになっていた袋本体部２を元に戻すことにより、図１に示すバッグ１となる。
【００２０】
次に、本実施形態に係るバッグ１の機能について説明する。図７及び図８は、バッグ１の使用状態図である。図７は、広げた状態のバッグ１を折り畳む過程を示している。図７（ａ）に、広げた状態のバッグ１を示す。前述のように、袋本体部２の底面２ａにおいて巻回板保持部８に巻回板３が保持されている。巻回板３は展開状態にあり、図７（ａ）においては凸部１０が下方に突出した状態、すなわち、袋本体部２の外方に突出するように湾曲した状態で、巻回板３が袋本体部２に取り付けられている。
【００２１】
図７（ｂ）に示すように、図７（ａ）のバッグ１に設けられた巻回板３を、巻回板３が展開状態で巻回板保持部８に保持されたまま、袋本体部２ごと、横幅方向Ｘに延びる仮想回転軸線を回転中心として高さ方向Ｚの上方に向かって回転させていく。図７（ｂ）は、巻回板３を袋本体部２ごと何度か回転させた状態を示している。この回転を袋本体部２の上端部２ｅまで続けると、図７（ｃ）に示すように、袋本体部２が折り畳まれて長尺状になる。
袋本体部２の上端部２ｅの幅寸法Ｗ１は、下端部２ｆの幅寸法Ｗ２よりも小さくなるように構成されているため、袋本体部２を折り畳んだときに、下端部２ｆの外側に巻き付けられた上端部２ｅが、内側の下端部２ｆの幅寸法内に収まることになる。
【００２２】
また、本実施形態では、巻回板３を袋本体部２の上端部２ｅまで回転させたときに、上端部２ｅが、巻回板３の奥行方向Ｙの幅とほぼ同じかそれよりも内側に位置するようにサイズ設計されている。したがって、バッグ１は、袋本体部２を上端部２ｅまで折り畳んだときに、上端部２ｅが巻き残されて外側にはみ出すことがないように構成されている。
【００２３】
図７（ｃ）においては、袋本体部２の内側にある巻回板３は、上方側に凸部１０が位置するように湾曲している。利用者が、この湾曲した巻回板３の凸部１０を押し込むように凸部１０側から手で力を加えると、ばね鋼の復元力によって、巻回板３の湾曲が解消されるのと同時に、凸部１０が形成されていた側が内側になるように、巻回板３の先端部３ｃから袋本体部２を巻き込みながら巻回板３が自動的に巻回していく。なお、長尺状に折り畳まれた状態における袋本体部２の端部２ｈに力を加えて、袋本体部２を介して巻回板３の先端部３ｃに外力が加わるようにすると、よりスムーズに巻回板３を巻回状態にすることができる。このように、巻回板３は、展開状態にあるときに外力が加えられることによって自動的に巻回状態になる。巻回板３が巻回すると、巻回板３を内包する袋本体部２も巻回することになる。したがって、図７（ｄ）に示すように、バッグ１全体が巻回した状態になる。
【００２４】
図７（ｄ）に示すバッグ１において、袋本体部２に内包されている巻回板３は、巻回状態にあり、図５（ｂ）を参照して前述したように、展開状態における巻回板３の湾曲状態は解消されている。
【００２５】
図８は、折り畳まれて巻回状態となったバッグ１を広げる過程を示している。図８（ａ）は、図７（ｄ）と同様に、バッグ１全体が巻回した状態を示している。この巻回状態のバッグ１を利用者が手で広げて、長尺状に伸ばす。図８（ｂ）においては、巻回状態のときに内側に位置していた面が上面となっており、巻回状態のときに外側に位置していた面が下面になっている。
【００２６】
図８（ｂ）に示す折り畳まれたバッグ１の下面側から、巻回板３の中央部３ａを押し出すように利用者が手で力を加えると、中央部３ａが上面側に突出して凸部１０が形成され、巻回板３が展開状態となり、展開状態に保持される。このように、巻回板３は、巻回状態にあるときに外力が加えられることによって展開状態になる。
なお、力を加える際には、巻回板３の両先端部３ｃに力が加わるように、長尺状に折り畳まれたバッグ１の両端部２ｈにおいて中央部３ａを押し出すように力を加えると、よりスムーズに巻回板３を展開状態にすることができる。
【００２７】
巻回板３が展開状態となることにより、巻回板３を内包する袋本体部２も巻回板３の形状変化に付随して巻回状態が解消し、バッグ１は袋本体部２が折り畳まれた長尺状の状態となる。
次いで、図８（ｃ）に示すように、折り畳まれた袋本体部２を広げるように、横幅方向Ｘに延びる仮想回転軸線を回転中心として高さ方向Ｚの下方に向かって巻回板３を回転させていく。最後まで回転させると、図８（ｄ）に示すように、バッグ１が広げられた状態となる。
【００２８】
利用者は、図７（ｄ）に示すように、バッグ１が折り畳まれて巻回された状態で、バッグ１を持ち運ぶことができる。例えば、図９（ａ）に示すように、利用者の手首２１に、巻回状態のバッグ１をリストバンドのように装着して持ち運ぶこともできる。
巻回板３が展開状態にありバッグ１が長尺状になった状態（図７（ｃ））において、バッグ１の一方の端部２ｈを手首２１にあて、図７（ｃ）を参照して前述したように、巻回板３の凸部１０を押し込むように力を加えると、巻回板３が自動的に巻回して、巻回板３を内包したバッグ１が手首２１に巻き付く。なお、この場合、巻回板３の凸部１０が袋本体部２を介して手首２１に接触するようにバッグ１の一方の端部２ｈを手首２１にあて、他方の端部２ｈにおいて巻回板３の凸部１０を押し込むように力を加えると、よりスムーズにバッグ１を手首２１に巻き付けることができる。
また、折り畳んで巻回状態としたバッグ１の中心部分の空間に、巻回板３を押し広げるように手を挿入することによって、巻回状態のバッグ１を手首２１に装着してもよい。
【００２９】
また、図９（ｂ）に示すように、通勤や通学等に使用する鞄２２の持ち手２２ａに、折り畳まれて巻回状態となったバッグ１を装着して、持ち運ぶこともできる。なお、この場合、巻回状態としたバッグ１を、展開状態にならない程度に巻回板３を広げて持ち手２２ａに巻き付けてもよいし、図９（ａ）について前述した方法と同様に、巻回板３が展開状態にありバッグ１が長尺状になった状態において、バッグ１の一方の端部２ｈを持ち手２２ａにあて、巻回板３を巻回状態にすることによって、バッグ１を持ち手２２ａに巻き付けてもよい。
利用者は、図８を参照して前述したように、折り畳まれて巻回状態になったバッグ１を、巻回板３を展開状態にすることによって、広げることができる。そして、広げたバッグ１の収納部４に購入した商品等を収納して、持ち帰ることができる。
【００３０】
以上より、本実施形態におけるバッグ１によれば、袋本体部２に設けられて板状に延ばされた展開状態と巻回された巻回状態とに変更可能な巻回板３を備えているため、バッグ１を折り畳んで巻回状態にして持ち運ぶことができる。
したがって、本実施形態におけるバッグ１によれば、持ち運びしやすく、使いやすいバッグ１を提供することができる。
【００３１】
また、バッグ１を折り畳んで巻回状態にできるため、バッグ１の体積がコンパクトになり、バッグ１を持参する際のバッグ１の収容スペースを削減することができる。さらに、図９を参照して前述したように、利用者の手首２１など利用者自身にバッグ１を巻き付けて運ぶことも可能であり、ウェアラブルなバッグ１を実現することができる。また、鞄２２の持ち手２２ａなど他の部材に巻き付けることもできるため、通常の収容スペースではない場所にもバッグ１を装着して運ぶことができる。さらに、展開状態と巻回状態に変更可能な巻回板３を備えることによって、バッグ１を畳んで巻回状態にしたり広げたりする動作を容易に行うことができる。
【００３２】
本実施形態において、巻回板３は、袋本体部２の底面２ａに設けられている。したがって、バッグ１の底面２ａを補強することができる。また、購入した商品等の物品をバッグ１に入れたときに、その物品の重さによって底面２ａに局所的に負荷がかかっても負荷分散される。したがって、バッグ１の耐久性を向上させることができると共に、物品を安定して収納することができる。加えて、物品をバッグ１に入れたときの見た目の美しさも向上させることができる。
【００３３】
また、巻回板３は、展開状態にあるときに、袋本体部２の外方に突出するように湾曲している。前述のように、展開状態にある巻回板３の凸部１０側から凸部１０を押し込むように外力が加えられることによって、巻回板３が巻回状態になる。巻回板３が袋本体部２の外方に突出するように湾曲していることにより、バッグ１に物品を入れると、物品の重さによって巻回板３の凸部１０側ではなく凹部側に外力が加わることになる。したがって、バッグ１に物品を入れたときに、意図しないところで巻回板３が巻回してしまうことを防止することができる。
【００３４】
前述の実施形態では、巻回板３は、展開状態にあるときに外力が加えられることによって自動的に巻回状態になり、巻回状態にあるときに外力が加えられることによって展開状態になるように構成されている。
したがって、バッグ１を折り畳んで巻回状態にする動作とバッグ１を広げる動作をより容易に行うことができる。また、バッグ１を一瞬で巻き取ることができるため、利用者がバッグ１を畳んで巻回状態にする時間を短縮することができる。
【００３５】
また、袋本体部２の上端部２ｅの幅寸法Ｗ１が、下端部２ｆの幅寸法Ｗ２よりも小さくなるように構成されている。したがって、前述のように、袋本体部２を折り畳んだときに、下端部２ｆの外側に巻き付けられた上端部２ｅが、内側の下端部２ｆの幅寸法内に収まることになる。よって、上端部２ｅが横幅方向Ｘにおいて外側にはみ出さないようにバッグ１を畳むことができる。
【００３６】
本実施形態では、袋本体部２の幅寸法が、袋本体部２の上方部分２ｇにおいて上端部２ｅに向かって漸次小さくなるように構成されている。よって、綺麗にバッグ１を畳むことを容易に行うことができる。
【００３７】
上記のように、本実施形態に係るバッグ１においては、巻回板３が袋本体部２に対して着脱可能であるように構成されている。したがって、バッグ１から巻回板３を取り外して、袋本体部２を洗濯等することができる。よって、バッグ１の手入れを容易に行うことができる。
【００３８】
また、巻回板３の先端部３ｃは、Ｒ形状に形成されている。したがって、巻回板３を袋本体部２にスムーズに装着させることができる。
【００３９】
［他の実施形態］
以上、本考案の実施形態について述べたが、本考案は既述の実施形態に限定されるものではなく、本考案の技術的思想に基づいて各種の変形及び変更が可能である。
例えば、前述の実施形態では、巻回板３は、袋本体部２の底面２ａに設けられているが、袋本体部２の他の部分に設けられていてもよい。
【００４０】
また、既述の実施形態において、巻回板３は、展開状態にあるときに、袋本体部２の外方に突出するように湾曲しているが、他の形状又は配置を採用してもよい。
前述の実施形態では、巻回板３は、展開状態にあるときに外力が加えられることによって自動的に巻回状態になり、巻回状態にあるときに外力が加えられることによって展開状態になるように構成されているが、他の手段によって展開状態と巻回状態が変更可能であるように構成してもよい。
【００４１】
既述の実施形態では、袋本体部２の上端部２ｅの幅寸法Ｗ１が、下端部２ｆの幅寸法Ｗ２よりも小さくなるように構成されており、また、袋本体部２の幅寸法が、袋本体部２の上方部分２ｇにおいて上端部２ｅに向かって漸次小さくなるように構成されているが、他の幅寸法を採用してもよい。
前述の実施形態において、巻回板３が袋本体部２に対して着脱可能であるように構成されているが、巻回板３が袋本体部２に固定されて着脱可能ではないように構成されていてもよい。
【００４２】
既述の実施形態では、巻回板３の先端部３ｃは、Ｒ形状に形成されているが、他の形状に形成されていてもよい。例えば、矩形状であってもよい。また、前述の例では、巻回板３の両先端部３ｃがＲ形状に形成されているが、片方の先端部３ｃのみをＲ形状に形成してもよい。
【００４３】
袋本体部２の素材は、どのような素材であってもよい。例えば、ポリエステル、ナイロン、不織布、布、プラスチック等であってもよい。
前述の実施形態では、巻回板３の素材はばね鋼であるが、展開状態と巻回状態を実現する他の素材によって巻回板３を形成してもよい。
【００４４】
前述の実施形態において、各部のサイズとして記載した数値は、いずれも例示であって、どのようなサイズを採用してもよい。例えば、コンビニエンス用、スーパーマーケット用等、用途に応じてバッグを構成する各部のサイズを決定してもよい。
【００４５】
既述の実施形態に関し、さらに以下の付記を示す。
（付記１）
物品を収納可能な袋本体部と、
前記袋本体部に設けられて板状に延ばされた展開状態と巻回された巻回状態とに変更可能な巻回板と
を備えるバッグ。
【００４６】
（付記２）
前記巻回板は、前記袋本体部の底面に設けられている付記１記載のバッグ。
【００４７】
（付記３）
前記巻回板は、前記展開状態にあるときに、前記袋本体部の外方に突出するように湾曲している付記１又は付記２記載のバッグ。
【００４８】
（付記４）
前記巻回板は、前記展開状態にあるときに外力が加えられることによって自動的に前記巻回状態になり、前記巻回状態にあるときに外力が加えられることによって前記展開状態になるように構成されている付記１から付記３のいずれか１つに記載のバッグ。
【００４９】
（付記５）
前記袋本体部の上端部の幅寸法が、前記袋本体部の下端部の幅寸法よりも小さくなるように構成されている付記１から付記４のいずれか１つに記載のバッグ。
【００５０】
（付記６）
前記袋本体部の幅寸法が、前記袋本体部の上方部分において前記袋本体部の上端部に向かって漸次小さくなるように構成されている付記１から付記５のいずれか１つに記載のバッグ。
【００５１】
（付記７）
前記巻回板が前記袋本体部に対して着脱可能であるように構成されている付記１から付記６のいずれか１つに記載のバッグ。
【００５２】
（付記８）
前記巻回板の先端部は、Ｒ形状に形成されている付記１から付記７のいずれか１つに記載のバッグ。
【符号の説明】
【００５３】
１  バッグ
２  袋本体部
２ａ  袋本体部の底面
２ｅ  袋本体部の上端部
２ｆ  袋本体部の下端部
２ｇ  袋本体部の上方部分
３  巻回板
３ｃ  巻回板の先端部
４  収納部
【図１】
0003227566.tif 000003
【図２】
0003227566.tif 000004
【図３】
0003227566.tif 000005
【図４】
0003227566.tif 000006
【図５】
0003227566.tif 000007
【図６】
0003227566.tif 000008
【図７】
0003227566.tif 000009
【図８】
0003227566.tif 000010
【図９】
0003227566.tif 000011